(57)【要約】      （修正有）【課題】内輪と外輪との間に介在する複数の玉が保持器により保持されたアンギュラ玉軸受において、グリースの流動性を向上させて、軸受の潤滑性を安定的に確保する。【解決手段】保持器１５が外輪１１により案内されており、外輪１１の内径部に軌道溝１３と玉１４との接触面が確保される状態に、軌道溝１３につながるグリース貯留溝１９、２０が軌道溝１３の軸方向外側に形成される。このグリース貯留溝１９の溝壁には軸方向内向きに、かつ径方向外向きに傾斜するグリース案内面が形成される。運転時、グリース貯留溝１９に溜まるグリースは、玉１４の転動に伴う保持器１５の回転により生じる風圧でグリース案内面に押し付けられる。このため、グリースはグリース案内面に沿って外輪１１の軌道溝１３へ移動し、軌道溝１３に安定供給され、軸受の潤滑性が安定的に確保される。【選択図】図１
2010164122.tif 000002
【特許請求の範囲】
【請求項１】
内輪と外輪との間に介在する複数の玉が保持器により保持されたアンギュラ玉軸受において、
前記保持器が前記外輪により案内され、前記外輪の内径部に前記外輪の軌道溝につながるグリース貯留溝がその軌道溝の軸方向外側に形成され、前記グリース貯留溝の溝壁に軸方向内向きに、かつ径方向外向きに傾斜するグリース案内面が形成されたことを特徴とするアンギュラ玉軸受。
【請求項２】
前記グリース案内面が前記軌道溝の内面に連なるように形成されたことを特徴とする請求項１に記載のアンギュラ玉軸受。
【請求項３】
前記グリース案内面は軸方向外向きに、かつ径方向外向きに形成されたぬすみ部を備えたことを特徴とする請求項２に記載のアンギュラ玉軸受。
【請求項４】
前記ぬすみ部が前記軌道溝の内面の最大径部分よりも径方向内側に位置し、かつ前記外輪の内径部の前記グリース貯留溝の軸方向外側に形成された肩部の軸方向中央部よりも軸方向内側に位置することを特徴とする請求項３に記載のアンギュラ玉軸受。
【請求項５】
前記グリース案内面に前記外輪の軌道溝につながる螺旋溝が形成されたことを特徴とする請求項２から４のいずれか１つに記載のアンギュラ玉軸受。
【請求項６】
前記グリース貯留溝の軸方向外端側の溝壁が軸方向外向きに広がり前記グリース案内面に連なるテーパ面を有することを特徴とする請求項２から５のいずれか１つに記載のアンギュラ玉軸受。
【請求項７】
前記グリース貯留溝が前記軌道溝の両側に形成され、前記両グリース貯留溝のうち少なくとも一方の溝壁に前記グリース案内面が形成されたことを特徴とする請求項２または６に記載のアンギュラ玉軸受。
【請求項８】
前記外輪の内径部正面側の前記グリース貯留溝が、前記外輪の軌道溝における玉との接触点の径方向位置よりも径方向内側に配置されたことを特徴とする請求項７に記載のアンギュラ玉軸受。
【請求項９】
前記外輪の内径部はそのグリース貯留溝の軸方向外側に前記保持器を案内する保持器案内面を備え、前記保持器案内面は、前記保持器の軸幅の半分に対して１３％以上の軸幅を有することを特徴とする請求項１に記載のアンギュラ玉軸受。
【請求項１０】
前記グリース案内面が前記グリース貯留溝の軸方向外端側の溝壁に形成され、前記グリース貯留溝は、そのグリース案内面よりも軸方向内側の溝壁に軸受中心軸を筒軸とする円筒面が前記軌道溝の内面に連なるように形成されたものであることを特徴とする請求項１に記載のアンギュラ玉軸受。
【請求項１１】
前記グリース案内面が軸受中心軸を軸心とする円すい面に形成されたことを特徴とする請求項１から１０のいずれか１つに記載のアンギュラ玉軸受。
【請求項１２】
前記グリース案内面が径方向外向きに凹む円曲面に形成されたことを特徴とする請求項１から１０のいずれか１つに記載のアンギュラ玉軸受。
【請求項１３】
内径部に玉が転動する軌道溝を備えたアンギュラ玉軸受用外輪において、前記軌道溝につながるグリース貯留溝がその軌道溝の軸方向両側に形成され、前記グリース貯留溝の溝壁に軸方向内向きに、かつ径方向外向きに傾斜するグリース案内面が形成されたアンギュラ玉軸受用外輪。
【発明の詳細な説明】
【技術分野】
【０００１】
この発明は、各種工作機械のスピンドル、コンプレッサやポンプなどのタービン用スピンドルなど各種機械装置の回転軸を支持するアンギュラ玉軸受、およびそれに適用されるアンギュラ玉軸受用外輪に関する。
【背景技術】
【０００２】
近年、各種機械装置の回転軸は、加工効率、運転効率の向上のため、高速で回転されることが多く、その回転軸を支持するアンギュラ玉軸受は、高速回転時に焼き付きがないなどの高い信頼性が要求される。したがって、アンギュラ玉軸受の信頼性の向上のために、高い潤滑性能が不可欠である。また、環境に対する配慮が求められ、運転時、軸受内部に潤滑油を供給可能な油潤滑から、軸受内部にグリースを充填するグリース潤滑が採用される傾向となっている。
【０００３】
グリース潤滑によるアンギュラ玉軸受としては、例えば、図１０に示すように、内輪３０と外輪３１との間に介在する複数の玉３４が保持器３５により保持され、外輪３１の内径部に外輪軌道溝３３につながるグリース貯留溝３６がその外輪軌道溝３３の軸方向両側に形成され、内輪３０と外輪３１と間の両端部にシール３２が設けられたものが知られている（特許文献１  図５参照）。
【先行技術文献】
【特許文献】
【０００４】
【特許文献１】特開２００２−１２２１４９号公報
【０００５】
このアンギュラ玉軸受は、外輪３１の軌道溝３３の両側にグリース貯留溝３６が形成されているので、グリース貯留溝３６内にグリースを貯留させることができる。したがって、グリース貯留溝を有していないものと比較して、内輪３０と外輪３１との間の軸受空間内に充填可能なグリース量が多くなり、潤滑性の向上が図られる。
【発明の概要】
【発明が解決しようとする課題】
【０００６】
しかし、特許文献１に記載のアンギュラ玉軸受は、グリース貯留溝３６の底面３７が軸受中心軸を筒軸とする円筒面に形成されている（図１１参照）。このため、運転時、グリース貯留溝３６に溜まったグリースは、玉３４の転動に伴う保持器３５の回転により生じる風圧で底面３７に押し付けられ、滞留し易い。その結果、外輪３１の軌道溝３３へのグリースの流動性が低下し、そのグリースの供給がされ難くなり、潤滑性が低下するとともに、長寿命化が図れない。
【０００７】
そこで、この発明の課題は、グリースの流動性を向上させて、軸受の潤滑性を安定的に確保することである。
【課題を解決するための手段】
【０００８】
上記の課題を解決するために、この発明に係るアンギュラ玉軸受としては、内輪と外輪との間に介在する複数の玉が保持器により保持されたアンギュラ玉軸受において、前記保持器が前記外輪により案内され、前記外輪の内径部に前記外輪の軌道溝につながるグリース貯留溝がその軌道溝の軸方向外側に形成され、前記グリース貯留溝の溝壁に軸方向内向きに、かつ径方向外向きに傾斜するグリース案内面が形成された構成としたのである。
【０００９】
このようにすると、運転時、グリース貯留溝に溜まるグリースは、玉の転動に伴う保持器の回転により生じる風圧でグリース案内面に押し付けられる。押し付けられたグリースは、グリース案内面が傾斜しているため、グリース貯留溝の内面に沿って外輪の軌道溝へ移動（流動）し易くなり、その軌道溝に安定して供給される。安定供給されるグリースにより軸受の潤滑性を安定的に確保することが可能となる。
【００１０】
前記構成において、前記グリース案内面が前記軌道溝の内面に連なるように形成された構成とすることができる。この場合、保持器の回転により生じる風圧でグリース案内面に押し付けられたグリースが前記軌道溝へ直接移動する。このため、グリースがより効果的にその軌道溝に安定して供給される。
【００１１】
また、前記グリース案内面が軸方向外向きに、かつ径方向外向きに形成されたぬすみ部を備えた構成を採用することができる。このようにすると、グリース案内面によるグリースの流動性を確保しつつ、グリース貯留溝における貯留可能なグリース量を増大させることができる。
【００１２】
グリース案内面にぬすみ部を備えた構成を採用する場合、ぬすみ部の位置、深さは、アンギュラ玉軸受の仕様によって適宜設定され、外輪に対する加工性や、外輪の強度を考慮した上で、例えば、前記ぬすみ部は前記軌道溝の内面の最大径部分よりも径方向内側に位置し、かつ前記外輪の内径部の前記グリース貯留溝の軸方向外側に形成された肩部の軸方向中央部よりも軸方向内側に位置するようにしてもよい。
【００１３】
また、グリース貯留溝において、前記グリース案内面に前記外輪の軌道溝につながる螺旋溝が形成されると、その螺旋溝によりグリースを外輪の軌道溝へ導く流路が形成されるので、その軌道溝へのグリースの移動量を十分に確保することができる。
【００１４】
前記グリース貯留溝の軸方向外端側の溝壁が軸方向外向きに広がり前記グリース案内面に連なるテーパ面を有する構成を採用すると、グリース貯留溝の軸方向外端側の溝壁において、玉の転動に伴う保持器の回転により生じる風圧で、テーパ面に付着したグリースがグリース案内面に移動する。このように、グリース貯留溝の溝壁の全内面に付着したグリースを滞留させることなく、外輪の軌道溝へ移動させることができる。
【００１５】
前記グリース貯留溝が前記軌道溝の両側に形成された場合、前記両グリース貯留溝のうち少なくとも一方の溝壁に前記グリース案内面が形成されると、片側のみにグリース貯留溝を形成したものに比べて外輪の軌道溝へ供給されるグリースの貯留量が増大する。増大したグリースが、前述した保持器の回転により生じる風圧でグリース案内面に押し付けられ、グリース貯留溝の内面に沿って外輪の軌道溝へ移動（流動）し易くなる。
【００１６】
この発明に係るアンギュラ玉軸受において、内輪および外輪に正面側に向かうアキシアル荷重が発生した場合、玉がグリース貯留溝内に乗り上げることを防止するために、例えば、前記外輪の内径部正面側の前記グリース貯留溝が、前記外輪の軌道溝における前記玉との接触点の径方向位置よりも径方向内側に配置される構成を採用することができる。
ここで、接触点とは、ＪＩＳ  Ｂ０１０４  に規定される呼び接触点を意味し、軸受部品が正常な相対位置にあるとき、玉が接触すると考えられる外輪の軌道溝の内面上の点である。
【００１７】
通常、各種機械の回転軸を支持するアンギュラ玉軸受は、外輪で保持器を案内する外輪案内タイプが適用されている。このため、運転時での保持器の挙動を安定させるため、外輪の内径部に保持器の外径部との間で案内面を確保する必要がある。そこで、例えば、前記外輪の内径部はそのグリース貯留溝の軸方向外側に前記保持器を案内する保持器案内面を備え、前記保持器案内面は、前記保持器の軸幅の半分に対して１３％以上の軸幅を有する構成を採用することができる。
【００１８】
外輪の軌道溝の外側にグリース貯留溝が形成された構成を採用した場合、前記グリース案内面が前記グリース貯留溝の軸方向外端側の溝壁に形成され、前記グリース貯留溝は、そのグリース案内面よりも軸方向内側の溝壁に軸受中心軸を筒軸とする円筒面が前記軌道溝の内面に連なるように形成された構成を採用することができる。この場合、前述した保持器の回転により生じる風圧でグリース案内面に押し付けられたグリースが円筒面に移動するとともに、円筒面に付着したグリースを順次外輪の軌道溝へ移動させる。このグリースの移動によって、軸受の潤滑性が確保される。
【００１９】
グリース貯留溝のグリース案内面の形状として、前記グリース案内面が軸受中心軸を軸心とする円すい面、または径方向外向きに凹む円曲面に形成される構成とすることができる。ここで、円曲面とはアキシアル平面での断面形状が円、楕円を構成する曲線の一部分で形成された曲面、あるいは、その曲率が連続または不連続に変化する曲面を意味する。
【００２０】
上記の課題を解決するために、この発明に係るアンギュラ玉軸受用外輪としては、前記軌道溝につながるグリース貯留溝がその軌道溝の軸方向両側に形成され、前記グリース貯留溝の溝壁に軸方向内向きに、かつ径方向外向きに傾斜するグリース案内面が形成された構成を採用することができる。
【発明の効果】
【００２１】
以上のように、この発明に係るアンギュラ玉軸受は、外輪の軌道溝の外側に形成されたグリース貯留溝の溝壁に傾斜するグリース案内面が形成されることにより、グリース貯留溝内のグリースは、保持器の回転に伴って生じる風圧でグリース案内面に沿って外輪の軌道溝へ移動（流動）し易くなり、その軌道溝に安定して供給され、軸受の潤滑性を長期に確保することができる。
【図面の簡単な説明】
【００２２】
【図１】第１実施形態のアンギュラ玉軸受を示す断面図
【図２】同上の外輪のグリース貯留溝を示す拡大断面図
【図３】同上のグリース貯留溝の変形例を示す拡大断面図
【図４】第２実施形態のアンギュラ玉軸受のグリース貯留溝を示す拡大断面図
【図５】第３実施形態のアンギュラ玉軸受のグリース貯留溝を示す拡大断面図
【図６】同上のグリース貯留溝の変形例を示す拡大断面図
【図７】第４実施形態のアンギュラ玉軸受のグリース貯留溝を示す拡大断面図
【図８】同上のグリース貯留溝の変形例を示す拡大断面図
【図９】第５実施形態のアンギュラ玉軸受のグリース貯留溝を示す拡大断面図
【図１０】従来のアンギュラ玉軸受を示す断面図
【図１１】同上の外輪のグリース貯留溝を示す拡大断面図
【発明を実施するための形態】
【００２３】
以下、この発明の実施形態を図１〜図９に基づいて説明する。
この発明の第１実施形態のアンギュラ玉軸受は、図１示すように、内輪１０と、外輪１１と、この内輪１０の軌道溝１２と外輪１１の軌道溝１３との間に介在する複数の玉１４と、玉１４を周方向に間隔をおいて保持する保持器１５と、内輪１０および外輪１１の両端部に設けられ、内輪１０と外輪１１との間の軸受空間を塞ぐシール１６、１６とからなる。
【００２４】
内輪１０は軌道溝１２が玉１４との接触角が予め定めた角度となるように形成されている。内輪１０の外径部において、軌道溝１２の片側に外径が端面に向かって小さくなるカウンタボア１７が設けられる。カウンタボア１７は、内輪１０の外径部のうち接触角を生じる側の部分と軸方向反対側部分に設けられる。また、内輪１０の外径部のうち、接触角を生じる側の部分の端部に径方向内向きに凹む段部１８を備え、この段部１８の壁面とシール１６の内縁部とでラビリンスシールが形成される。
【００２５】
外輪１１は内径部の軌道溝１３の軸方向両側に、その軌道溝１３につながるグリース貯留溝１９、２０が形成されている。外輪１１の内径部のうち、接触角を生じる側の部分（背面側部分）に対して軸方向反対側部分（正面側部分）にグリース貯留溝１９が形成され、外輪１１の内径部のうち、背面側部分にグリース貯留溝２０が形成されている。
【００２６】
外輪１１の内径部において、グリース貯留溝１９、２０の軸方向両側に肩部２２が形成され、肩部２２によりかご形の保持器１５の外径部を案内している。運転時での保持器１５の挙動を安定させるため、肩部２２は、その内径面のうち保持器１５の外径部が摺接する部分、すなわち保持器案内面２３を確保する必要がある。このため、肩部２２の保持器案内面２３の軸方向幅（軸幅）Ｗ１は、例えば、保持器１５の軸幅Ｗ２の半分に対して１３％以上であればよい。
【００２７】
外輪１１の内径部の両端部にシール溝２８が形成され、シール１６、１６の外縁部が固定される。このシール１６、１６は、アンギュラ玉軸受の規格や用途、あるいはグリースの性状によっては設けなくてもよい。しかし、これらシール１６、１６を設けた場合、グリースの軸受外部への飛散と、軸受空間への異物の侵入とを抑えることが可能となる。
【００２８】
外輪１１の内径部のグリース貯留溝１９、２０は、軌道溝１３と玉１４との接触面が確保される状態に外輪１１の内径部の全周にわたって形成され、その全周において軌道溝１３につながる状態となっている。
【００２９】
この第１実施形態において、図２に示すように、外輪１１の軌道溝１３の両側にグリース貯留溝１９、２０が形成されているが、アンギュラ玉軸受の規格、用途に応じて、グリース貯留溝は、軌道溝１３の外側の少なくもと一方に形成されていればよい。図２に示すように両側に形成した場合、内輪１０と外輪１１との間の軸受空間により多くのグリースを充填することができるので好ましい。
【００３０】
また、グリース貯留溝１９は、図２に示すように、外輪１１の軌道溝１３における玉１４との接触点Ｐの径方向位置よりも径方向内側に配置されている。この配置によって、内輪１０および外輪１１に正面側に向かうアキシアル荷重が発生した際、玉１４がグリース貯留溝１９内に乗り上げることを防止することができる。
ここで、外輪１１の軌道溝１３における接触点Ｐとは、ＪＩＳ  Ｂ０１０４  に規定される呼び接触点を意味し、軸受部品が正常な相対位置にあるとき、玉が接触すると考えられる外輪の軌道溝の内面上の点を意味する。
【００３１】
グリース貯留溝１９の底壁には、軸方向内向きにかつ径方向外向きに傾斜するグリース案内面２１が形成される。このグリース案内面２１は軌道溝１３の内面に連なり、軸受中心軸を軸心とする円すい面に形成される。この円すい面は軸受中心軸に対して予め定められた角度α（例えば、１０度）に形成されている。
【００３２】
グリース貯留溝１９ではグリース案内面２１を円すい面に形成しているが、図３示すように径方向外向きに凹む円曲面に形成することができる。この場合、円すい面に形成した場合と比較して、グリース貯留溝１９の軸方向外端部において、グリースがスムーズに移動可能となり、流動性を更に高めることが可能となる。
ここで、円曲面とは、アキシアル断面の形状が円、楕円を構成する曲線の一部分で形成された曲面、あるいは、その曲率が連続または不連続に変化する曲面を意味する。
【００３３】
このグリース案内面２１により、運転時、グリース貯留溝１９に溜まるグリースは、玉１４の転動に伴う保持器１５の回転により生じる風圧でグリース案内面２１に押し付けられる。押し付けられたグリースは、傾斜しているグリース案内面２１に沿って外輪１１の軌道溝１３へ移動（流動）し、その軌道溝１３に安定供給される。
【００３４】
グリース貯留溝２０も外輪１１の軌道溝１３における接触点Ｐの径方向位置よりも径方向内側に配置される。グリース貯留溝２０の底壁は、図２に示すように、軸受中心軸を筒軸とする円筒面に形成されているが、必要に応じて、グリース貯留溝１９と同様に、グリース案内面２１を形成することができる。この場合、両グリース貯留溝１９、２０のグリースは、それぞれのグリース案内面に沿って外輪１１の軌道溝１３へ移動（流動）して、軌道溝１３へより効果的に安定供給される。
【００３５】
なお、運転時にグリースが外輪１１の軌道溝１３へ安定して供給される限り、外輪１１の軌道溝１３の両側にグリース貯留溝１９、２０が形成された場合においては、グリース貯留溝１９、グリール貯留溝２０、または両グリース貯留溝１９、２０の底壁にグリース案内面を形成することができる。すなわち、両グリース貯留溝１９、２０の底壁のうち少なくとも一方にグリース案内面を形成することができる。
【００３６】
この実施形態のアンギュラ玉軸受は、外輪１１の軌道溝１３へグリースが安定供給され、高い潤滑性能を有するので、加工、運転効率を上げるために高速回転する回転軸、例えば、工作機械のスピンドル、コンプレッサやポンプのタービン用スピンドルを支持する転がり軸受として適用することができる。
【００３７】
このように工作機械のスピンドル等を支持する場合、アンギュラ玉軸受は、その剛性を高めたり回転精度を高めたりする目的で、２個以上組み合わせたものを対向させ、アキシャル方向に負のすきまをもたせた状態（予圧を与えた状態）で適用される。一般に、この予圧を与える方法としては、定位置予圧と定圧予圧の２つの方法が使用されている。
【００３８】
この発明の第２実施形態を図４に示す。
第２実施形態に係るアンギュラ玉軸受は、グリース貯留溝１９のグリース案内面２１に螺旋溝２４が形成された点で前記第１実施形態の場合と相違する。その他の構成については、前記第１実施形態と同一に考えられる構成には同符号を付し、その説明を省略する。
【００３９】
螺旋溝２４は外輪１１の軌道溝１３につながるように、グリース案内面２１に形成されている。螺旋溝２４がグリース案内面２１に形成されることで、その螺旋溝２４によりグリースを軌道溝１３へ導く流路が形成されるので、軌道溝１３へのグリースの移動量を十分に確保することができる。
【００４０】
この螺旋溝２４は外輪１１の内径部の両グリース貯留溝１９、２０のうち少なくとも一方の溝壁にグリース案内面２１が形成された場合においても、そのグリース案内面２１に形成可能である。
【００４１】
この発明の第３実施形態を図５、図６に示す。
第３実施形態に係るアンギュラ玉軸受は、グリース貯留溝１９のグリース案内面２１がぬすみ部２５を備えた点で前記第１実施形態の場合と相違する。その他の構成については、前記第１実施形態と同一に考えられる構成には同符号を付し、その説明を省略する。
【００４２】
より具体的には、ぬすみ部２５はグリース案内面２１の軸方向外側に形成され、軸方向外向きに、かつ径方向外向きに形成されている。ぬすみ部２５が形成されると、グリース案内面２１によるグリースの流動性が確保されつつ、グリース貯留溝１９における貯留可能なグリース量を増大させることができる。
【００４３】
ぬすみ部２５は、図５に示すように、外輪１１の軌道溝１３内面の最大径部分Ｑよりも径方向内側に位置し、かつ外輪１１内径部の肩部２２の軸方向中央Ｃよりも軸方向内側に位置するように形成される。ぬすみ部２５の位置、深さは、外輪１１に対する加工性や、外輪１１の強度が考慮された上で、軸受の仕様によって適宜設定される。
【００４４】
この実施形態において、グリース貯留溝１９ではグリース案内面２１にぬすみ部２５が形成されているが、図６に示すように、さらに、軌道溝１３につながる螺旋溝２４をグリース案内面２１に形成してもよい。この螺旋溝２４によりグリースを軌道溝１３へ導く流路が形成され、増量したグリースを効果的に軌道溝１３へ導くことが可能となる。
【００４５】
また、ぬすみ部２５は外輪１１の内径部の両グリース貯留溝１９、２０の底壁のうち少なくとも一方にグリース案内面が形成された場合において、そのグリース案内面に形成可能である。
【００４６】
この発明の第４実施形態を図７、図８に示す。
第４実施形態に係るアンギュラ玉軸受は、グリース貯留溝１９の軸方向外端側の溝壁がグリース案内面２１に連なるテーパ面２６を有する点で前記第１実施形態の場合と相違する。その他の構成については、前記第１実施形態と同一に考えられる構成には同符号を付し、その説明を省略する。
【００４７】
このグリース貯留溝１９のテーパ面２６は、軸受中心軸を軸心とする円すい面に形成され、その円すい面は軸受中心軸に対して予め定められた角度β（例えば、６０度）に形成されている。
【００４８】
このテーパ面２６は、図２に示すグリース案内面２１とされる円すい面の軸受中心軸に対する角度αよりも大きな角度に設定される。このため、玉１４の転動に伴う保持器１５の回転により生じる風圧で、テーパ面２６に付着したグリースがグリース案内面２１に移動する。したがって、グリース貯留溝１９の全内面に付着したグリースを滞留させることなく、外輪１１の軌道溝１３へ移動させることができる。
【００４９】
この実施形態において、グリース貯留溝１９はテーパ面２６を有しているが、図８に示すように、さらに、軌道溝１３につながる螺旋溝２４をグリース案内面２１に形成してもよい。この螺旋溝２４により、グリースを軌道溝１３へ導く流路が形成され、増量したグリースを効果的に軌道溝１３へ導くことが可能となる。
【００５０】
また、テーパ面２６は外輪１１の内径部の両グリース貯留溝１９、２０のうち少なくとも一方の底壁にグリース案内面２１が形成された場合において、そのグリース案内面２１に形成可能である。
【００５１】
この発明の第５実施形態を図９に示す。
第５実施形態に係るアンギュラ玉軸受では、図９に示すように、グリース貯留溝１９は、その軸方向外端部の溝壁にグリース案内面２１が形成され、そのグリース案内面２１よりも軸方向内側の溝壁に軸受中心軸を筒軸とする円筒面２９が形成された点で、前述の第１実施形態と相違する。その他の構成については、上述の第１実施形態と同一に考えられる構成には同符号を付し、その説明を省略する。
【００５２】
グリース案内面２１は、軸受中心軸を軸心とする円すい面に形成される。この円すい面は軸受中心軸に対して予め定められた角度γ（例えば、６０度）に形成されている。
【００５３】
このように、グリース貯留溝１９の軸方向外端側の溝壁にグリース案内面２１が形成されると、玉１４の転動に伴う保持器１５の回転により生じる風圧で、グリース案内面２１に押し付けられたグリースが円筒面２９に移動する。そのグリースが円筒面２９に付着したグリースを外輪１１の軌道溝１３へ移動させる。このグリースの移動によって、軸受の潤滑性が確保される。
【符号の説明】
【００５４】
１０  内輪
１１  外輪
１２  軌道溝
１３  軌道溝
１４  玉
１５  保持器
１６  シール
１７  カウンタボア
１８  段部
１９、２０  グリース貯留溝
２１  グリース案内面
２２  肩部
２３  保持器案内面
２４  螺旋溝
２５  ぬすみ部
２６  テーパ面
２８  シール溝
２９  円筒面
３０  内輪
３１  外輪
３３  外輪軌道溝
３４  玉
３５  保持器
３６  グリース貯留溝
３７  底面
【図１】
2010164122.tif 000003
【図２】
2010164122.tif 000004
【図３】
2010164122.tif 000005
【図４】
2010164122.tif 000006
【図５】
2010164122.tif 000007
【図６】
2010164122.tif 000008
【図７】
2010164122.tif 000009
【図８】
2010164122.tif 000010
【図９】
2010164122.tif 000011
【図１０】
2010164122.tif 000012
【図１１】
2010164122.tif 000013